(57)【要約】【課題】扱歯付き扱ぎベルトと受網で穀稈の脱穀処理をするにあたり、脱穀物の持ち回りを少なくし穀粒ロスを少なくする。【解決手段】扱室３の一側にはフィードチエン４を設け、扱室３のフィードチエン４に近い側には始端側ローラ７を、フィードチエン４から遠い側には終端側下ローラ８及び終端側上ローラ９を配置し、これらローラ７，８，９に扱歯１０，…付き扱ぎベルト１１を巻き掛け、扱室３の底部には下受網５ａを設け、扱室３のフィードチエン４の遠い側には終端側受網５ｂを設ける。【選択図】図２
2005058176.tif 000002
【特許請求の範囲】
【請求項１】
扱室３の一側には穀稈を挟持移送するフィードチエン４を設け、扱室３の前記フィードチエン４に近い側には始端側ローラ７を、前記フィードチエン４から遠い側には終端側下ローラ８及び終端側上ローラ９を配置してこれらローラ７，８，９に扱歯１０，…付き扱ぎベルト１１を巻き掛け、扱室３の底部には下受網５ａを、扱室３のフィードチエン４から遠い終端側には終端側受網５ｂを設けたことを特徴とする脱穀装置。
【請求項２】
フィードチエン４に近い側の始端側ローラ７と、フィードチエン４から遠い側の終端側下ローラ８と、該終端側下ローラ８よりもフィードチエン４から更に遠ざかる終端側上ローラ９に扱歯１０，…付き扱ぎベルト１１を巻き掛け、終端側下ローラ８と終端側上ローラ９に巻き掛けられている扱ぎベルト１１の扱歯１０，…に対向して終端側受網５ｂを設けたことを特徴とする請求項１記載の脱穀装置。
【請求項３】
扱室３における終端側受網５ｂの下方部位に処理室１２を設けたことを特徴とする請求項２記載の脱穀装置。
【請求項４】
扱室３の前側板３ａ及び後側板３ｂには扱ぎベルト１１内に位置している前後方向の連結棒２７により連結したことを特徴とする請求項１記載の脱穀装置。
【発明の詳細な説明】
【技術分野】
【０００１】
本発明は、扱ぎベルトに扱歯を取り付けた脱穀装置に関するものである。
【背景技術】
【０００２】
駆動プーリと従動プーリとに扱ぎ処理用の駆動ベルトを巻き掛け、この駆動ベルトの外周面に複数の扱歯を付設したものは公知である。
【特許文献１】特開２０００−８３４５５号公報
【発明の開示】
【発明が解決しようとする課題】
【０００３】
前記従来技術は、扱ぎ処理用の駆動ベルトを一対の駆動プーリと従動プーリに巻き掛ける構成で、駆動ベルトは左右方向に長く上下方向には低く構成されている。従って、脱穀処理された脱穀物が扱歯から離れにくく駆動ベルトで持ち回り扱室の排出口から脱穀物が排出されるという不具合が発生していた。
【０００４】
そこで、この発明は扱歯付き駆動ベルトを３個のローラに巻き掛け支持し、しかも、駆動ベルトの回動始端側を単一のローラで支持し、回動終端側を上下一対のローラで支持し、駆動ベルトの回動終端側を上下に高く構成し、駆動ベルトにより脱穀物の持ち回りを少なくしようとするものである。
【課題を解決するための手段】
【０００５】
前記問題点を解決するために、この発明は次のような技術的手段を講じた。
請求項１の発明は、扱室３の一側には穀稈を挟持移送するフィードチエン４を設け、扱室３の前記フィードチエン４に近い側には始端側ローラ７を、前記フィードチエン４から遠い側には終端側下ローラ８及び終端側上ローラ９を配置してこれらローラ７，８，９に扱歯１０，…付き扱ぎベルト１１を巻き掛け、扱室３の底部には下受網５ａを、扱室３のフィードチエン４から遠い終端側には終端側受網５ｂを設けたことを特徴とする。
【０００６】
前記構成によると、扱室３の一側に設けたフィードチエン４により挟持された穀稈が扱室３内に挿入し搬送されると、始端側ローラ７から終端側下ローラ８に向けて回動する扱ぎベルト１１の扱歯１０，…と下受網５ａの間で穀稈は脱穀処理され、また、終端側下ローラ８から終端側上ローラ９に向けて回動する扱ぎベルト１１の扱歯１０，…と終端側受網５ｂとの間で脱穀物は脱穀処理される。
【０００７】
請求項２の発明は、請求項１記載の脱穀装置に加えて、フィードチエン４に近い側の始端側ローラ７と、フィードチエン４から遠い側の終端側下ローラ８と、該終端側下ローラ８よりもフィードチエン４から更に遠ざかる終端側上ローラ９に扱歯１０，…付き扱ぎベルト１１を巻き掛け、終端側下ローラ８と終端側上ローラ９に巻き掛けられている扱ぎベルト１１の扱歯１０，…に対向して終端側受網５ｂを設けたことを特徴とする。
【０００８】
前記構成によると、請求項１記載の発明の作用に加えて、扱室３の終端側部位では、扱歯１０，…付き扱ぎベルト１１はフィードチエン４から遠い下ローラ８とフィードチエン４から更に遠い終端側上ローラ９に支持されて回動し、上側ほどフィードチエン４から遠ざかる傾斜状に回動する扱室ベルト１１の扱歯１０，…と終端側受網５ｂとの間で脱穀物は脱穀処理される。
【０００９】
請求項３の発明は、請求項２記載の脱穀装置に加えて、扱室３における終端側受網５ｂの下方部位に処理室１２を設けたことを特徴とする。
前記構成によると、請求項２記載の発明の作用に加えて、フィードチエン４から遠い下ローラ８からフィードチエン４から更に遠い終端側上ローラ９に向けて傾斜状に回動する扱ぎベルト１１の扱歯１０，…と終端側受網５ｂとの間で脱穀物は脱穀処理され、更に、脱穀物は終端側受網５ｂを経て処理室１２に供給され処理胴１３により脱穀処理される。
【００１０】
請求項４の発明は、請求項１記載の脱穀装置に加えて、扱室３の前側板３ａ及び後側板３ｂには扱ぎベルト１１内に位置している前後方向の連結棒２７により連結したことを特徴とする。
【００１１】
前記構成によると、請求項１記載の発明の作用に加えて、扱室３の前側板３ａと後側板３ｂとの間は扱ぎベルト１１内に位置している前後方向に長い連結棒２７により連結されていて、扱室３を強固なものとすることができる。
【発明の効果】
【００１２】
請求項１の発明は、扱室３のフィードチエン４から遠く離れた終端側では、扱歯１０，…付き扱ぎベルト１１が終端側下ローラ８及び終端側上ローラ９に巻き掛けられて上下方向に高く構成しているので、扱ぎベルト１１の扱歯１０，…による脱穀物の持ち回りを少なくし、扱室３からの脱穀物の排出を少なくすることができる。
【００１３】
請求項２の発明は、フィードチエン４に近い側の始端側ローラ７と、フィードチエン４から遠い側の終端側下ローラ８と、終端側下ローラ８よりも更にフィードチエン４から遠ざかる終端側上ローラ９により、扱歯１０，…付き扱ぎベルト１１を巻き掛ける構成であるので、終端側下ローラ８から終端側上ローラ９に向かう扱ぎベルト１１は上り傾斜状に回動し扱歯１０，…での脱穀物の持ち回りを少なくすることができる。
【００１４】
請求項３の発明は、フィードチエン４から遠い下ローラ８からフィードチエン４から更に遠い終端側上ローラ９に向けて回動する扱ぎベルト１１の扱歯１０，…と終端側受網５ｂとの間で脱穀物は脱穀処理され、終端側受網５ｂを経て処理室１２に供給されて脱穀処理されるので、脱穀処理能力を向上させることができる。
【００１５】
請求項４の発明は、請求項１の発明の効果に加えて、扱室３の強度アップを図り、扱ぎベルト１１の耐久性を向上させることができる。
【発明を実施するための最良の形態】
【００１６】
この発明は、コンバインやハーベスターに搭載される脱穀部に組み込まれる穀稈扱ぎ処理装置であって、図１及び図２に示すように、脱穀部１の風選部２の上部に搭載された扱室３内に設けられていて、フィードチエン４で株元部を挟持して搬送される穀稈の穂先部が扱室３内に挿入されて搬送されると、穀稈の穂先部に対して受網５と共同で脱粒作用を行なう穀稈扱ぎ処理手段６である。
【００１７】
風選部２の上部には扱室３が配置されていて、扱室３の左一側には前側から後側に向けて穀稈の根元部を挟持して搬送するフィードチエン４と挟持体７が設けられている。扱室３の前側板３ａ及び後側板３ｂには前後方向に沿った始端側ローラ軸７ａ、終端側下ローラ軸８ａ及び終端側上ローラ軸９ａを夫れ夫れ回転自在に軸架し、これらのローラ軸７ａ，８ａ，９ａに夫れ夫れ取り付けた始端側ローラ７、終端側下ローラ８及び終端側上ローラ９に、扱歯１０，…付き扱ぎベルト１１を巻き掛けている。扱室３の底部には下受網５ａが張設され、扱室３の右側部には終端側受網５ｂが張設されていて、この終端側受網５ｂは上側ほど右側に偏位するように右上り傾斜状に張設されている。
【００１８】
そして、下受網５ａ上には始端側ローラ７と終端側下ローラ８とに巻き掛けられた扱ぎベルト１１の扱歯１０，…群が接近して回動し、また、終端側受網５ｂには終端側下ローラ８と終端側上ローラ９に巻き掛けられた扱ぎベルト１１の扱歯１０，…群が接近して回動する。また、扱室３の上部には始端側ローラ７と終端側上ローラ９とに巻き掛けられた扱ぎベルト１１の扱歯１０，…群が左下がり状に回動するように構成されている。扱室３の終端側受網５ｂの右側下方に処理室１２を配置し、処理室１２内には処理歯１３ａ，…付きの処理胴１３を回転自在に支架している。
【００１９】
また、図４に示すように、処理室１２の側方には脱穀伝動ケース１４を設け、脱穀伝動ケース１４には脱穀入力プーリ１５を軸架し、エンジン（図示省略）から脱穀入力プーリ１５に動力を伝達している。脱穀伝動ケース１４には中間プーリ１６を前後方向の軸心回りに回転するように軸架し、脱穀入力プーリ１５と中間プーリ１６との間をベベルギヤ（図示省略）により伝動している。中間プーリ１６を二段プーリとして、中間プーリ１６から伝動ベルト１７を介して終端側下ローラ８の前端部に取り付けたベルト伝動プーリ１８に動力を伝達し、扱ぎベルト１１を駆動し、また、中間プーリ１６から第二伝動ベルト１９を介して処理胴１３の前端部に取り付けた処理胴伝動プーリ２０に動力を伝達し、処理胴１３を駆動するように構成している。
【００２０】
しかして、回転する扱ぎベルト１１の扱歯１０，…群と受網５ａ，５ｂにより脱穀作用をする際には、始端側ローラ７から終端側下ローラ８に向けて回動する扱ぎベルト１１の扱歯１０，…群と下受網５ａにより穀稈の穂先部は脱穀され、次いで、終端側下ローラ８から終端側上ローラ９に向けて回動する扱ぎベルト１１の扱歯１０，…群と扱室３の右上り傾斜状の終端側受網５ｂにより脱穀物は更に脱穀処理される。
【００２１】
そして、扱室３の右側部には上側ほど右側に偏位する上り傾斜状に張設されている終端側受網５ｂに沿って扱ぎベルト１１の扱歯１０，…群が回動するので、扱ぎベルト１１による脱穀物の持ち回りが少なくり、下受網５ａ及び終端側受網５ｂからの脱穀物の漏下が促進され、扱室３における穀稈移送終端側からの脱穀物の持出しを少なくすることができる。
【００２２】
また、始端側ローラ７、終端側下ローラ８及び終端側上ローラ９の三か所で扱ぎベルト１１を支持して、終端側下ローラ８と終端側上ローラ９とで扱ぎベルト１１が上側ほど外側に偏位する傾斜回転部分を構成したので、この傾斜回転部分により扱歯１０，…による脱穀物の持ち回りが減少されつつ脱穀処理が促進され、枝梗の低減を図ることができる。
【００２３】
また、終端側下ローラ８と終端側上ローラ９とで扱ぎベルト１１を上側ほど外側に偏位する上り傾斜の回転部分に対向して終端側受網５ｂを設け、終端側受網５ｂの側方には処理室１２を設けたので、上り傾斜の回転部分の終端側受網５ｂから脱穀処理物が漏下して処理室１２に供給されて再処理され、枝梗の処理を円滑化し枝梗の低減を図ることができる。
【００２４】
また、処理室１２の側方には脱穀伝動ケース１４を設け、脱穀入力プーリ１５、中間プーリ１６から伝動ベルト１７、終端側下ローラ８の前端部に取り付けたベルト伝動プーリ１８を介して扱ぎベルト１１を駆動し、また、中間プーリ１６から第二伝動ベルト１９、処理胴伝動プーリ２０を介して処理胴１３を駆動するように構成したので、伝動構成をコンパクト化することができる。
【００２５】
また、中間プーリ１６から伝動ベルト１７、終端側下ローラ８の前端部に取り付けたベルト伝動プーリ１８を介して扱ぎベルト１１を駆動し、終端側下ローラ８を大径に構成し、始端側ローラ７及び終端側上ローラ９を小径に構成してもよい。このように駆動側の終端側下ローラ８を大径にし、従動側の左プーリ７及び終端側上ローラ９を小径にすることにより、高負荷時の扱ぎベルト１１のスリップを防止できる。
【００２６】
また、扱ぎベルト１１及び処理胴１３に動力を伝達するにあたり、図５に示すように構成してもよい。処理室１２の側方に設けた中間プーリ１６から第二伝動ベルト１９、処理胴伝動プーリ２０を介して処理胴１３に動力を伝達し、処理胴伝動プーリ２０を二段プーリとして処理胴伝動プーリ２０，伝動ベルト２１、ベルト伝動プーリ１８を介して扱ぎベルト１１に動力を伝達しても、同様に伝動構成をコンパクト化することができる。
【００２７】
次に、図６及び図７に基づき排藁チエン２２の伝動構成について説明する。始端側ローラ軸７ａの後端部をギヤボックス２３により支架し、ギヤボックス２３には排稾チエン駆動軸２４を軸架して、ベベルギヤ２５，２５を介して排藁チエン駆動軸２４に動力を伝達している。排藁チエン駆動軸２４に取り付けた排藁駆動スプロケット２６と排藁従動スプロケット２７との間に排藁チエン２２を巻き掛けている。
【００２８】
しかして、脱穀入力プーリ１５、中間プーリ１６、伝動ベルト１７、ベルト伝動プーリ１８、終端側下ローラ８を介して扱ぎベルト１１に動力が伝達され、次いで、扱ぎベルト１１を介して始端側ローラ７に伝達された動力が、ベベルギヤ２５，２５、排藁チエン駆動軸２４を介して排藁チエン２２に伝達されるので、排藁チエン２２への伝動構成をコンパクト化することができる。
【００２９】
また、図８に示すように、扱室３に下受網５ａ及び終端側受網５ｂを張設するにあたり、下受網５ａと終端側受網５ｂとを分割して構成し、下受網５ａを支持ガイド（図示省略）に沿って左側（図面では右側）から挿入・抜取り自在に構成し、また、終端側受網５ｂを支持ガイド（図示省略）に沿って右上側（図面では左上側）から挿入・抜取り自在に構成してもよい。このように構成することにより、扱室３のメンテナンス性を向上させることができる。
【００３０】
また、扱室３の前側板３ａ及び後側板３ｂには前後方向に沿った始端側ローラ軸７ａ、終端側下ローラ軸８ａ及び終端側上ローラ軸９ａを回転自在に軸架し、これらのローラ軸７ａ，８ａ，９ａに夫れ夫れ取り付けた始端側ローラ７、終端側下ローラ８及び終端側上ローラ９に、扱歯１０，…付き扱ぎベルト１１を巻き掛けている。そして、前側板３ａと後側板３ｂとの間を扱ぎベルト１１内に位置している前後方向の連結棒２７により連結している。このように構成すると、扱室３の強度アップを図り、扱ぎベルト１１の耐久性を向上させることができる。
【００３１】
また、扱室３における終端側受網５ｂの上部にスクレーパ２８，２８（図２に示す）を設け、扱歯１０，…に絡みついた脱穀物を掻き取るように構成すると、脱穀処理作用を増大し、扱ぎベルト１１の脱穀物の付き回りを少なくすることができる。
【００３２】
また、図１０に示すように、始端側ローラ軸７ａ、終端側下ローラ軸８ａ及び終端側上ローラ軸９ａに扱ぎベルト１１を巻き掛けて支持するにあたり、次のように構成してもよい。扱室３の前側板３ａ及び後側板３ｂには、前後方向に沿った始端側ローラ軸７ａ及び終端側下ローラ軸８ａを所定位置に固定状態で軸架し、終端側上ローラ軸９ａを終端側下ローラ軸８ａを中心とした円弧状長孔（図示省略）に沿って移動調節自在に取り付け、これらのローラ軸７ａ，８ａ，９ａに夫れ夫れ取り付けた始端側ローラ７、終端側下ローラ８及び終端側上ローラ９に、扱歯１０，…付き扱ぎベルト１１を巻き掛ける。
【００３３】
しかして、終端側下ローラ８から終端側上ローラ９に向かって回動する扱ぎベルト１１の扱歯１０，…における上り傾斜回動方向を調節し、終端側受網５ｂと扱ぎベルト１１側の扱歯１０，…との間隔を広狭に調節する。しかして、上り傾斜回動部分の脱穀処理抵抗を変更し、穀稈の品種や乾燥度合い等に対応させ作物への適応性を向上させることができる。
【００３４】
また、始端側ローラ軸７ａ、終端側下ローラ軸８ａ及び終端側上ローラ軸９ａにより扱ぎベルト１１を巻き掛け支持するにあたり、図１１に示すように構成してもよい。即ち、扱室３の前側板３ａ及び後側板３ｂには、前後方向に沿った始端側ローラ軸７ａ、終端側下ローラ軸８ａ及び終端側上ローラ軸９ａを所定位置に固定状態で軸架し、そして、始端側ローラ軸７ａよりも終端側下ローラ軸８ａを低くし、これらのローラ軸７ａ，８ａ，９ａに取り付けた始端側ローラ７、終端側下ローラ８及び終端側上ローラ９に、扱歯１０，…付き扱ぎベルト１１を巻き掛ける。
【００３５】
しかして、始端側ローラ７と下受網５ａとの間隔を狭く、終端側下ローラ８と下受網５ａとの間隔を広くし、扱ぎベルト１１の扱歯１０，…が始端側ローラ７から終端側下ローラ８に向かって回動すると、下受網５ａと扱歯１０，…の間隔が順次広くなるので、脱穀物に過度の負荷がかからず穀粒の脱ぷ・損傷を防止しながら付き回りを少なくすることができる。
【００３６】
なお、始端側ローラ７と下受網５ａとの間隔を固定状態で狭く構成し、終端側下ローラ８を上下調節自在に構成して、終端側下ローラ８と下受網５ａとの間隔を広狭に調節できる構成としてもよい。
【００３７】
また、始端側ローラ軸７ａ、終端側下ローラ軸８ａ及び終端側上ローラ軸９ａにより扱ぎベルト１１を巻き掛け支持するにあたり、図１２に示すように構成してもよい。即ち、扱室３の前側板３ａ及び後側板３ｂには、前後方向に沿った始端側ローラ軸７ａ及び終端側下ローラ軸８ａを所定位置に固定状態で軸架し、バネ３０，３０により下側に付勢した支持体３１，３１により終端側上ローラ軸９ａを支持し、これらのローラ軸７ａ，８ａ，９ａに夫れ夫れ取り付けた始端側ローラ７、終端側下ローラ８及び終端側上ローラ９に、扱歯１０，…付き扱ぎベルト１１を巻き掛けるように構成する。
【００３８】
しかして、終端側下ローラ８から終端側上ローラ９に向かって回動する扱ぎベルト１１の扱歯１０，…部分に過度の負荷がかかると、終端側上ローラ９がバネ３０，３０に抗して上側に移動して過負荷を解消し、穀粒の脱ぷ・損傷や付き回りを少なくしながら脱穀処理することができる。
【図面の簡単な説明】
【００３９】
【図１】要部の側面図
【図２】要部の正面図
【図３】要部の斜視図
【図４】要部の正面図
【図５】要部の正面図
【図６】要部の側面図
【図７】要部の平面図
【図８】要部の正面図
【図９】要部の側面図、正面図
【図１０】要部の正面図
【図１１】要部の正面図
【図１２】要部の側面図
【符号の説明】
【００４０】
３    扱室
３ａ  前側板
３ｂ  後側板
４    フィードチエン
５ａ  下受網
５ｂ  終端側受網
７    始端側ローラ
８    終端側下ローラ
９    終端側上ローラ９
１０    扱歯
１１    扱ぎベルト
１２    処理室
１３    処理胴
１３ａ  処理歯
２７    連結棒
【図１】
2005058176.tif 000003
【図２】
2005058176.tif 000004
【図３】
2005058176.tif 000005
【図４】
2005058176.tif 000006
【図５】
2005058176.tif 000007
【図６】
2005058176.tif 000008
【図７】
2005058176.tif 000009
【図８】
2005058176.tif 000010
【図９】
2005058176.tif 000011
【図１０】
2005058176.tif 000012
【図１１】
2005058176.tif 000013
【図１２】
2005058176.tif 000014